(57)【要約】      （修正有）【課題】時計使用者は、通常、時計の文字盤表示上の針の位置または数字を視覚的にとらえ、現在時、経過時間、残り時間などの認識の補正や確認をしている。この視覚認識による時間の把握を人間の自然な感覚にもとづき容易かつ的確に可能にする時計を提供する。【解決手段】標準表示においては表示デバイス上で経過時間を表示するために、現在時間の経過に応じて表示デバイスの、基準色と異なる背景色の３０分に当たる面積が１分ごとに時計回りに移動する。表示デバイス上の任意の時間表示文字間の面積部分をタップの回数により拡大又は縮小する。【選択図】図１
2018124255.tif 000002
【特許請求の範囲】
【請求項１】
時計の各時刻の数字を含む文字盤を表示する手段と、前記時計の文字盤の任意の時刻の領域を指定したかを検出する手段と、指定した時刻の領域を拡大し、その他の時刻の領域の表示を縮小する手段を備える時計。
【請求項２】
請求項１記載の時計において、現在時刻を含む特定の時刻範囲までの領域をその他の領域とは異なる色で表示する時計。
【請求項３】
上記請求項１又は２又は３記載の時計において各々の手段の実行手順を可能にさせるためのコンピュータープログラム。
【発明の詳細な説明】
【技術分野】
【０００１】  本発明は、一般計時装置による時間表示を人間の時間経過に対する自然な感覚に沿った表示方法にする装置に関するものである。
【背景技術】
【０００２】  従来のディジタル技術を使い、液晶パネル上に１〜２４時（又は１〜１２時）までの数字を表示し、時針分針など、あるいは数字を使って国際標準時に従って使用される地域の設定時刻に合わせて、国際的に決められた一定速度で動かしながら時間を表示する時計は多種多様に存在する。
【先行技術文献】
【０００３】
【特許文献】
【特許文献】特開２００６−２８４３６５号公報
【発明の概要】
【発明が解決しようとする課題】
【０００４】  前記（０００２）に述べた従来のディジタル技術を使った時計の表示デバイス上での時間表示は、その色彩や文字のフォントは多様であるが、各時刻ごとの表示間隔はすべて等間隔で表示されるものと決まっている。しかるに人間の意識下に於ける経過時間に関する認識は非常に不確かなもので、時計使用者がそれを確認するためには通常、時計の文字盤表示上の針の位置または数字を視覚的にとらえ、現在時、経過時間、残り時間などの認識の補正や確認をしている。この視覚認識による時間の把握を人間の自然な感覚にもとづき容易かつ的確に可能にすることを、この発明は課題とする。
【課題を解決するための手段】
【０００５】  本発明は、前記（０００２）に記述した従来の時計の各時間ごとの表示間隔を、１日２４時間の長さを変更することなく、その時計の使用者がその一部の時間帯を任意に視覚的に伸縮させることを可能にすることによって、時計使用者が自身のもっとも意識を集中したい時間帯とその時間経過を容易に確認出来るように拡大表示設定をしたり、あるいは就寝などで時間を特に意識しない場合は時間表示間隔を縮小しておくなど、一日２４時間の視覚的な配分を使用者の好みに合わせて自由に設定出来るようにする。【０００６】  液晶パネルまたは有機ＥＬのような表示デバイスによる時刻表示を基本とする時計の種類を、時計単体では腕時計、懐中時計、置き時計、壁掛け時計および変型時計（自由形状）など日常生活に活用される形式の５種類に限定する。この装置の基になるアプリを既存の携帯端末（例えばｉＰｈｏｎｅやアンドロイドなどの携帯電話）などに組み込んで利用する場合は、その表示形状は自由とする。また表示盤の形は円形、矩形、正方形、自由形あるいは立体型など特定しない。表示デバイスは液晶パネル素材の平面固定型、有機ＥＬが可能とするフレキシブル素材のどちらも限定しない。【０００７】  そして、本発明は（０００５、０００６）に記述した目的を達成するために以下のようなソフトウエア・システムを構築し起用するものである。【０００８】  前記（０００４）に記述した時計において、標準表示においては表示デバイス上で経過時間を表示するために、現在時間の経過に応じて表示デバイスの、基準色と異なる背景色の３０分に当たる面積が１分ごとに時計回りに移動する。各時とその毎時３０分時を知らせるためにこの背景色はその時点で１０秒間点滅する。拡大表示部分の色が基準色と異なる色を保つ部分は３０分に相当する面積とし、それ以前の経過時間は以下（０００９）に記述する拡大部分、標準部分を含めてそれぞれ３０分に相当する面積の色彩の輝度が最先端部分の輝度の半分ずつ減少し、１時間半遡って基準色に戻る。【０００９】  前記（０００４）に記述した時計において、表示デバイス上の任意の時間表示文字間の面積部分を２度タップすることによってその面積の３０分に相当する面積（当該面積の２分の１）で拡大、同じ動作を繰り返すごとに基本表示の３０分に当たる面積が拡大する。エラーの場合は同じ場所を１度タップすることによって基本表示の３０分に当たる面積の縮小を可能にする。腕時計のような表示面積の小さい時計の場合は電子ペンなどでタップするか、竜頭またはボタンを使って表示デバイス上のカーソルを動かし所定の時間部分に移動させた後、竜頭またはボタンを所定回数押すことで拡大・縮小を可能にする。表示デバイスの周囲長さ（２４時間）は一定不変なので、拡大された時間帯に応じてその他拡大されていない時間帯は相対的に等間隔を保って自動縮小表示される。【００１０】  前記（０００４）に記述した時計において、一旦設定した時間帯の拡大・縮小部分は状況に応じて随時変更することが可能。拡大・縮小の変更度合いは（０００８）に記述されたものに準ずる。変更に際しては既に拡大表示されている他の時間帯の設定には影響を与えず、変更を行う時間帯部分（１時間相当）のみで変更指示に対応する。【００１１】  前記（０００４）に記述した時計において、午前、午後の把握を容易にするためや、電車や航空機などの交通機関の標準発着時刻表示と同じ表示にさせるために、この時計は時間表示をデフォルトで２４時間方式とするが、使用者の好みによって１２時間表示とすることもできる。時間表示面の拡大縮小に関係なく２４時または１２時の位置は表示デバイスと正対した場合向かって真上の位置とする。【００１２】  前記（０００４）に記述した時計において、時間が拡大表示された指定時間帯の終わりに近づいた場合または下記（００１３）で説明されるようにアラーム設定をした場合、その５分前に警告音を５秒鳴らし基準色と異なる時間表示部分を５秒間点滅、１分前に１０秒間の警告音と１０秒間点滅、当該アラーム設定時間に到達した場合は連続音で警告と点滅を継続する。その継続音を消す場合はその時間帯部分を警告音および点滅の継続中に１度タップする。【００１３】  前記（０００４）に記述した時計において、表示デバイスの中央に空白の部分を設け、数字による通常の２４時表記での時刻表示を行い、使用者が所在する国の標準時刻の変化を一分ごとに数字によって表記する。また任意の時間でのアラーム設定も可能にする。【００１４】  前記（０００４）に記述した時計において、前記（００１２）アラーム設定用の部分をアラームまたは時刻表示に使用しない場合、任意の写真やパターンなどの画像を無線ＬＡＮやＷｉＦｉなどを介してダウンロードし、表示に使用することもできる。【００１５】  前記（０００４）に記述した時計において、前記（００１３）の数字による時間表示か、任意の写真やパターンの画像にするかは、随時任意に選択することが出来る。【００１６】  前記（０００４）に記述した時計において、腕時計のような時刻表示デバイスが小さく限られている場合、時間帯を使用者個人の好みに合わせて拡大した場合は、拡大部分の視認性を高めるため中心部を右または左に指またはペンでドラッグすることによってオフセットさせ非拡大部分を任意の小面積に表示する。【００１７】  前記（０００４）に記述した時計において、時計表示盤の拡大縮小表示の必要が無くなった場合、表示デバイスの特定の箇所を３回連続的にタップすることで全表示デバイスを標準表示（デフォルト）に即座に戻すことが出来る。また不用意にデフォルトした場合は同じ場所を１回タップすることで一段階前に戻ることを可能とする。
【発明の効果】
【００１８】  本発明品の使用者が、従来の時計の等間隔に配置された数字による時刻表示では得られなかった時間そのものの長さを、視覚的に強調・実感することによって、個人的にまた仕事上、時間を有効に使う習慣を身につけ、デートや食事会などの自由時間の有効な使い方が出来、その時間帯の到来への期待をより強く持つこと、又その拡大表示された時間帯を適宜容易に確認することによって残り時間を有効に使うなど、毎日をより楽しく過ごすことが出来るという精神的にプラスな効果を本発明は発揮できる。【００１９】  列車や航空機などの交通機関への搭乗までの時間は、出発前の準備に向けて時間の有効利用が欠かせないが、この発明品の拡大された時間表示を随時確認する事によってストレスがなく無駄なく過ごすことが出来る。これは乗客には有効であると同時に、乗務員や関係者の出発前のブリーフィング、各種チェック項目を遺漏なく行うための詳細な時間の割り振りを視覚的に可能にする。【００２０】  学期末試験や大学や会社入試などでは指定された試験解答時間を、この発明品を使用することによって拡大表示でき、容易に残り時間の確認が出来る。【００２１】  医療機関や保育施設などにおいて患者や児童に与えられた自由時間を視覚的に確認、または医師の指示に従って安静を保つ時間の確認、保護者の面会や迎えを待ったりする時間をより的確に視覚的に確認することなどによって、精神的な安定と期待感の高揚を促す効果が期待できる。また諸条件のもと忍耐を要する待ち時間などは、時間帯の拡大とは逆に縮小することによって、視覚的に時間の短縮を意識し、待ち時間を短く感じる効果を生む。【００２２】  一定時間内に行われるスポーツ競技の経過および残り時間の拡大表示によって、監督やインストラクターに、より細かな作戦構築や士気の鼓舞に充てる時間の認識を容易にする。これはスポーツを観戦する客側にも、拡大された時間帯の表示によってゲームの進行や作戦の駆け引きの詳細をより的確に時系列で把握することができ、観戦をより楽しむことが出来る。【００２３】  出場時間が厳格に決められている演劇やスポーツ競技などでは、出番までの最終調整のための残り時間の正確な理解は必要であり、残り時間を拡大表示できる本発明品ではその認識が容易になり、出演者、競技者などの準備運動や精神の統一と安定に大きく寄与する。【００２４】  日常、大小にかかわらず特定の行動を起こす前、それまでの準備時間をいかように配分するかは茶飯事であるが、本発明品の時間拡大表示を習慣的に使用することによって経過時間を容易に確認しながら準備を遺漏なく行うことが出来る。
【図面の簡単な説明】
【００２５】
【図１】  本発明の第１の形態、すなわち拡大・強調された表示デバイスの例を示す図である。
【図２】  本発明の標準的（デフォルト）表示デバイスの例を示す。
【図３】  本発明が角型表示盤に応用された場合の、拡大・強調された表示デバイスの例を示す。
【図４】  本発明がｉＰｈｏｎｅなどのスマートフォンにアプリとして使用された場合の例を示す。
【図５】  本発明の動作フローチャートである。
【図６】  本発明の装置構成図である。
【発明を実施するための形態】
【００２６】  以下、本発明の実施の形態を図１〜図６に基づいて説明する。
【００２７】  図１において時刻表示盤の形を円形（楕円を含む）の例とし、２４時間表示として説明する。例として任意の１８時から２４時までの６時間を均等に拡大した場合を示す。図中１は任意に拡大された時間帯の時間進行を、基本色とは異なる色彩で３０分に相当する帯状の面積が１分毎に移動する様子を示している。この色彩はそれ以前の３０分に当たる部分で輝度が半減し、さらにそれ以前の３０分で前者の輝度の半分となり、過去１時間半を超えた部分で標準色となる。標準色と異なる色彩を持ったこの１時間半に相当する面は、通常の時計の分針の役目をしており、その部分は１分ごとに前進移動するため時間経過を視覚的により認識しやすくする効果がある。
【００２８】  図中２は任意に拡大された表示部分に呼応してその他の拡大されなかった時間帯の各時間あたりの面積が均等に縮小されている状態を示す。
【００２９】  図中３は表示盤の中央部分で数字による時刻表示（１分毎に時刻を刻む）が標準で表示されるが、アラーム設定を可能にしたり、任意の写真や図柄を表示したりする事を可能にする領域であることを示す。図中の数字は例として１８時３０分にアラームを設定していることを示す。一旦アラーム設定が終わるとその２秒後に設定時間は消え、標準の数字による時間表示か、写真や図柄の場合は設定された画像に戻る。
【００３０】  図２に於いて、図中４は拡大表示を行わない場合でも、時間経過は１時間に当たる面積の標準色と異なる色彩部分の１分毎の移動によって表示される。標準色と異なる色彩を持った帯状の部分の色彩輝度の経過時間に対応する減少率は図１の説明におけるものに準ずる。  図中５は標準色。図中６は数字による時刻表時またはアラーム設定あるいは写真や図柄を表示させる場所とする。標準的時間表示の場合の時間経過を示す標準色とは異なる部分（図中４）は拡大表示の場合の３０分幅でなく１時間に相当する幅としたのは、腕時計などの極小な表示デバイスの場合の視認性を容易にするためである。
【００３１】  図３に於いて、腕時計や携帯端末などで本発明が利用された場合など表示面積が比較的小さい場合、拡大された部分を視認しやすくするために、中心部を右、左、又は上、下に指又は電子ペンで移動させることが出来る。移動された中心部は先の図１の説明の図中３に当たる部分で、アラーム表示又は写真や図柄を、図１で説明された方法で表示することが出来る。腕時計や携帯端末などで本発明が利用され、部分拡大を行わず標準表示のままである場合は、中央部分は表示盤の中央に位置する。時刻の経過を示す標準色と異なる色彩部分の表示方法は、部分拡大をする、しないに関わらず図１の説明における表示方法に準ずる。
【００３２】  図４は現在普及しているスマートフォンにアプリとして本発明がダウンロードされた場合の表示の例を示す。スマートフォン表示部分の縦横比の関係で中央部に空白のスペースが出来るので、図中１３に任意の画像やメモを書き込んだり、場合によっては広告などを表示することも可能とする。
【００３３】  図５は本発明のフローチャートである。使用者は標準デザイン表示を持った本発明品に対して、１２時間表示又は２４時間表示の選択をする。次に拡張認識をしたい時間帯を拡張するための操作をする。拡張されなかった部分の時間帯は拡張された部分の拡張度合いに応じて自動縮小される。またこれらの作業に関わりなく随時画像の取り込みやアラーム設定を行う。
【００３４】  図６は装置の構成図である。  図中１はこの発明の心臓部とも言える制御部で、充電機能を備えた電池３によって２の電源制御装置を介して電力が供給される。１の制御部には使用者の所属する国と地域の時間帯に合わせた世界標準時を正確に刻むための時計部６と、時刻表示盤上で時間表示を拡大したり縮小したりするプログラムやアラーム設定を可能にする機能を備えた本機能用プログラム部７と、任意の写真や図柄を入手するためのダウンロード機能用データメモリ８と、表示デバイス上において拡大縮小を行った際の指示を記憶する表示用データメモリ１０と、ダウンロード通信用プログラム、時計表示プログラム、その他のダウンロード用プログラムを内包したメモリ９によってサポートされている。
操作部４は制御部１に対して表示盤の拡大又は縮小指令を出し、制御部１はそれらに応じて表示部５に指示を送る。
制御部１は、サーバ１６から情報を得るインターネット１５からＩＳＰ１４を介してデータを取得する入出力制御部１１とも繋がっており、無線リンク１３や送受信部１２からの信号に基づき、使用者の指示に従って必要なデータを適宜取り入れ、操作部を介して意図した画像を表示盤上で表示する。
【符号の説明】
【００３５】  １００  拡大強調された表示盤
２００  標準表示時の表示盤
３００  拡大強調された表示盤（角型）
４００  拡大強調された表示盤（ｉＰｈｏｎｅなどのスマートフォンの例）
【図１】
2018124255.tif 000003
【図２】
2018124255.tif 000004
【図３】
2018124255.tif 000005
【図４】
2018124255.tif 000006
【図５】
2018124255.tif 000007
【図６】
2018124255.tif 000008